(57)【要約】【課題】携帯機の消費電力の増加を抑制しつつ、給油口の不当な解錠を防止する。【解決手段】レバー操作検知部２３と蓋操作検知部２４は、ユーザによる給油口の解錠動作を検知する。通信部２７−１乃至２７−４は、レバー操作検知部２３または蓋操作検知部２４により解錠動作が検知された場合、携帯機の識別情報の送信を要求するリクエスト信号を無線通信によって送信する。但し、通信部２７−１乃至２７−４の通信可能範囲は、レバー操作検知部２３または蓋操作検知部２４の近傍の範囲である。制御部２１は、通信部２７−１乃至２７−４により、リクエスト信号に応じて携帯機から無線通信によって送信されてくる識別情報を表すアンサ信号が受信された場合、その識別情報を用いて認証処理を行う。ロックシステム２２は、制御部２１の制御により、携帯機が認証された場合給油口を解錠する。本発明は、給油口のロックシステムに適用することができる。【選択図】図１
2010127030.tif 000002
【特許請求の範囲】
【請求項１】
第１の無線送信手段、第１の無線受信手段、および識別情報を有する携帯機と、
ユーザによる給油口の解錠動作を検知する検知手段と、
前記検知手段により前記解錠動作が検知された場合、前記携帯機の前記識別情報の送信要求を無線通信によって送信する第２の無線送信手段と、
前記第１の無線受信手段により受信された前記送信要求に応じて前記第１の無線送信手段から無線通信によって送信されてくる前記識別情報を受信する第２の無線受信手段と、
前記第２の無線受信手段により受信された前記識別情報を用いて認証処理を行う認証手段と、
前記認証手段により前記携帯機が認証された場合、前記給油口を解錠する解錠手段と
を備える解錠装置。
【請求項２】
前記検知手段は、車両内に設置された前記給油口の解錠を指示するための指示部に対する前記ユーザの操作を前記解錠動作として検知し、
前記無線通信の通信可能範囲は、前記車両内の所定の範囲である
請求項１に記載の解錠装置。
【請求項３】
前記検知手段は、前記給油口に対する前記ユーザの動作を前記解錠動作として検知し、
前記無線通信の通信可能範囲は、前記給油口の近傍の範囲である
請求項１に記載の解錠装置。
【請求項４】
前記携帯機の前記識別情報が受信されなかった、または、前記認証手段により前記携帯機が認証されなかった場合、前記検知手段により前記解錠動作が所定の時間以上連続して検知されているとき、警告情報を出力させる出力制御手段
をさらに備える
請求項１乃至３のいずれかに記載の解錠装置。
【請求項５】
第１の無線送信手段、第１の無線受信手段、および識別情報を有する携帯機と、ユーザによる給油口の解錠動作を検知する検知手段と、前記携帯機と無線通信を行う通信手段とを備える解錠装置の解錠方法において、
前記検知手段により前記解錠動作が検知された場合、前記通信手段に前記携帯機の前記識別情報の送信要求を無線通信によって送信させる送信制御ステップと、
前記第１の無線受信手段により受信された前記送信要求に応じて前記第１の無線送信手段から無線通信によって送信されてくる前記識別情報を、前記通信手段に受信させる受信制御ステップと、
前記受信制御ステップの処理により受信された前記識別情報を用いて認証処理を行う認証ステップと、
前記認証ステップの処理により前記携帯機が認証された場合、前記給油口を解錠させる解錠制御ステップと
を含む解錠方法。
【請求項６】
第１の無線送信手段、第１の無線受信手段、および識別情報を有する携帯機と、ユーザによる給油口の解錠動作を検知する検知手段と、前記携帯機と無線通信を行う通信手段とを備える解錠装置を制御するコンピュータに実行させるプログラムであって、
前記検知手段により前記解錠動作が検知された場合、前記通信手段に前記携帯機の前記識別情報の送信要求を無線通信によって送信させる送信制御ステップと、
前記第１の無線受信手段により受信された前記送信要求に応じて前記第１の無線送信手段から無線通信によって送信されてくる前記識別情報を、前記通信手段に受信させる受信制御ステップと、
前記受信制御ステップの処理により受信された前記識別情報を用いて認証処理を行う認証ステップと、
前記認証ステップの処理により前記携帯機が認証された場合、前記給油口を解錠させる解錠制御ステップと
をコンピュータに実行させるプログラム。
【請求項７】
ユーザによる給油口の解錠動作を検知する検知手段と、
ユーザの指示に応じて携帯機から無線通信によって送信されてくる前記給油口の解錠の指示と前記携帯機の識別情報を受信する受信手段と、
前記受信手段により受信された前記識別情報を用いて認証処理を行う認証手段と、
前記認証手段により前記携帯機が認証され、かつ、前記受信手段により前記指示が受信されてから所定の時間内に前記解錠動作が検知された場合、前記給油口を解錠する解錠手段と
を備える解錠装置。
【請求項８】
ユーザによる給油口の解錠動作を検知する検知手段と、携帯機と無線通信を行う通信手段とを備える解錠装置の解錠方法において、
ユーザの指示に応じて携帯機から無線通信によって送信されてくる前記給油口の解錠の指示と前記携帯機の識別情報を前記通信手段に受信させる受信制御ステップと、
前記通信手段により受信された前記識別情報を用いて認証処理を行う認証ステップと、
前記認証ステップの処理により前記携帯機が認証され、かつ、前記通信手段により前記指示が受信されてから所定の時間内に前記解錠動作が検知された場合、前記給油口を解錠させる解錠制御ステップと
を含む解錠方法。
【請求項９】
ユーザによる給油口の解錠動作を検知する検知手段と、携帯機と無線通信を行う通信手段とを備える解錠装置を制御するコンピュータに実行させるプログラムであって、
ユーザの指示に応じて携帯機から無線通信によって送信されてくる前記給油口の解錠の指示と前記携帯機の識別情報を前記通信手段に受信させる受信制御ステップと、
前記通信手段により受信された前記識別情報を用いて認証処理を行う認証ステップと、
前記認証ステップの処理により前記携帯機が認証され、かつ、前記通信手段により前記指示が受信されてから所定の時間内に前記解錠動作が検知された場合、前記給油口を解錠させる解錠制御ステップと
をコンピュータに実行させるプログラム。
【発明の詳細な説明】
【技術分野】
【０００１】
本発明は、解錠装置、解錠方法、およびプログラムに関し、特に、携帯機の消費電力の増加を抑制しつつ、給油口の不当な解錠を防止することができるようにした解錠装置、解錠方法、およびプログラムに関する。
【背景技術】
【０００２】
従来、自動車においては、運転席の下側に設けられたレバーを引き上げることにより、給油口の蓋を解錠することができる。また、全てのドアのロック機構が電気的または機械的に連結されており、運転席付近に設けられたボタンにより全てのドアを解錠可能な集中ドアロック方式が採用された自動車においては、全てのドアを開錠するためのボタンを操作することにより、給油口の蓋を解錠することもできる。
【０００３】
このような自動車においては、給油口の蓋を不当に解錠し、ガソリンなどの燃料を盗むことが比較的容易であるため、近年、機械的な鍵によって施錠可能な燃料タンクのキャップが燃料の盗難対策用に販売されている。
【０００４】
しかしながら、このようなキャップを燃料タンクに装着した場合、ユーザは、燃料タンクに燃料を入れる際に、キャップの解錠および施錠を機械的な鍵を用いて行う必要があり、操作が面倒である。また、キャップの表面に鍵穴が設けられている場合、こじ開けられやすい。
【０００５】
そこで、運転者が携帯するカード型の電子キーから所定間隔で絶えず発信されるＩＤコードを受信し、そのＩＤコードが正規のＩＤコードであり、ユーザにより操作ボタンが操作された場合、キャップの操作ノブのロックを解除することにより、キャップの不当な解錠を防止する燃料タンクキャップのロック装置が提案されている（例えば、特許文献１参照）。
【０００６】
【特許文献１】特開２００５−７５３０８号公報
【発明の開示】
【発明が解決しようとする課題】
【０００７】
しかしながら、特許文献１に記載のロック装置では、ＩＤコードが絶えず発信されるため、携帯機としてのカード型の電子キーの消費電力が大きくなる。携帯機は、通常、内蔵する電池により電力を供給しており、電力に限りがあるため、消費電力が大きいことは、商品化する上で不利となる。
【０００８】
本発明は、このような状況に鑑みてなされたものであり、特に、携帯機の消費電力の増加を抑制しつつ、給油口の不当な解錠を防止することができるようにするものである。
【課題を解決するための手段】
【０００９】
本発明の第１の側面の解錠装置は、第１の無線送信手段、第１の無線受信手段、および識別情報を有する携帯機と、ユーザによる給油口の解錠動作を検知する検知手段と、前記検知手段により前記解錠動作が検知された場合、前記携帯機の前記識別情報の送信要求を無線通信によって送信する第２の無線送信手段と、前記第１の無線受信手段により受信された前記送信要求に応じて前記第１の無線送信手段から無線通信によって送信されてくる前記識別情報を受信する第２の無線受信手段と、前記第２の無線受信手段により受信された前記識別情報を用いて認証処理を行う認証手段と、前記認証手段により前記携帯機が認証された場合、前記給油口を解錠する解錠手段とを備える。
【００１０】
本発明の第１の側面の解錠装置においては、ユーザによる給油口の解錠動作が検知手段により検知され、解錠動作が検知された場合、携帯機の識別情報の送信要求が無線通信によって送信され、その送信要求に応じて携帯機から無線通信によって送信されてくる識別情報が受信され、その識別情報を用いて認証処理が行われ、携帯機が認証された場合、給油口が解錠される。
【００１１】
従って、携帯機の消費電力の増加を抑制しつつ、給油口の不当な解錠を防止することができる。その結果、燃料の盗難、さらには、給油口が設けられた車両の盗難を防止することができる。
【００１２】
この第１の無線送信手段と第１の無線受信手段は、例えば、車両と無線通信を行う通信部により構成され、検知手段は、例えば、マイクロスイッチ、接触センサ、静電容量センサや電波センサなどの非接触センサにより構成される。第２の無線送信手段と第２の無線受信手段は、例えば、携帯機と無線通信を行う通信部により構成され、認証手段は、例えば、マイクロコンピュータにより構成される。解錠手段は、例えば、給油口の蓋の解錠および施錠を行うロックシステムにより構成される。
【００１３】
前記解錠装置において、前記検知手段は、車両内に設置された前記給油口の解錠を指示するための指示部に対する前記ユーザの操作を前記解錠動作として検知し、前記無線通信の通信可能範囲は、前記車両内の所定の範囲であるようにすることができる。
【００１４】
これにより、解錠動作が指示部に対する操作である場合において、給油口の不当な解錠を防止することができる。
【００１５】
前記解錠装置において、前記検知手段は、前記給油口に対する前記ユーザの動作を前記解錠動作として検知し、前記無線通信の通信可能範囲は、前記給油口の近傍の範囲であるようにすることができる。
【００１６】
これにより、ユーザによる解錠動作が給油口に対する操作である場合において、給油口の不当な解錠を防止することができる。
【００１７】
前記解錠装置は、前記携帯機の前記識別情報が受信されなかった、または、前記認証手段により前記携帯機が認証されなかった場合、前記検知手段により前記解錠動作が所定の時間以上連続して検知されているとき、警告情報を出力させる出力制御手段をさらに備えることができる。
【００１８】
これにより、給油口の不当な解錠をより防止することができる。
【００１９】
この出力制御手段は、例えば、マイクロコンピュータにより構成される。
【００２０】
本発明の第１の側面の解錠方法は、第１の無線送信手段、第１の無線受信手段、および識別情報を有する携帯機と、ユーザによる給油口の解錠動作を検知する検知手段と、前記携帯機と無線通信を行う通信手段とを備える解錠装置の解錠方法において、前記検知手段により前記解錠動作が検知された場合、前記通信手段に前記携帯機の前記識別情報の送信要求を無線通信によって送信させる送信制御ステップと、前記第１の無線受信手段により受信された前記送信要求に応じて前記第１の無線送信手段から無線通信によって送信されてくる前記識別情報を、前記通信手段に受信させる受信制御ステップと、前記受信制御ステップの処理により受信された前記識別情報を用いて認証処理を行う認証ステップと、前記認証ステップの処理により前記携帯機が認証された場合、前記給油口を解錠させる解錠制御ステップとを含む。
【００２１】
本発明の第１の側面の解錠方法においては、ユーザによる給油口の解錠動作を検知する検知手段により解錠動作が検知された場合、携帯機の識別情報の送信要求が無線通信によって送信され、その送信要求に応じて携帯機から無線通信によって送信されてくる識別情報が受信され、その識別情報を用いて認証処理が行われ、携帯機が認証された場合、給油口が解錠される。
【００２２】
従って、携帯機の消費電力の増加を抑制しつつ、給油口の不当な解錠を防止することができる。その結果、燃料の盗難、さらには、給油口が設けられた車両の盗難を防止することができる。
【００２３】
この送信制御ステップは、例えば、マイクロコンピュータが、通信手段に携帯機の識別情報の送信要求を無線通信によって送信させるステップにより構成され、受信制御ステップは、例えば、マイクロコンピュータが、無線通信によって携帯機から送信されてくる識別情報を通信部に受信させるステップにより構成される。認証ステップは、例えば、マイクロコンピュータが、識別情報を用いて認証処理を行うステップにより構成される。解錠制御ステップは、例えば、マイクロコンピュータが、給油口を解錠させるステップにより構成される。
【００２４】
本発明の第１の側面のプログラムは、第１の無線送信手段、第１の無線受信手段、および識別情報を有する携帯機と、ユーザによる給油口の解錠動作を検知する検知手段と、前記携帯機と無線通信を行う通信手段とを備える解錠装置を制御するコンピュータに実行させるプログラムであって、前記検知手段により前記解錠動作が検知された場合、前記通信手段に前記携帯機の前記識別情報の送信要求を無線通信によって送信させる送信制御ステップと、前記第１の無線受信手段により受信された前記送信要求に応じて前記第１の無線送信手段から無線通信によって送信されてくる前記識別情報を、前記通信手段に受信させる受信制御ステップと、前記受信制御ステップの処理により受信された前記識別情報を用いて認証処理を行う認証ステップと、前記認証ステップの処理により前記携帯機が認証された場合、前記給油口を解錠させる解錠制御ステップとをコンピュータに実行させる。
【００２５】
本発明の第１の側面のプログラムにおいては、ユーザによる給油口の解錠動作を検知する検知手段により解錠動作が検知された場合、携帯機の識別情報の送信要求が無線通信によって送信され、その送信要求に応じて携帯機から無線通信によって送信されてくる識別情報が受信され、その識別情報を用いて認証処理が行われ、携帯機が認証された場合、給油口が解錠される。
【００２６】
従って、携帯機の消費電力の増加を抑制しつつ、給油口の不当な解錠を防止することができる。その結果、燃料の盗難、さらには、給油口が設けられた車両の盗難を防止することができる。
【００２７】
この送信制御ステップは、例えば、マイクロコンピュータが、通信手段に携帯機の識別情報の送信要求を無線通信によって送信させるステップにより構成され、受信制御ステップは、例えば、マイクロコンピュータが、無線通信によって携帯機から送信されてくる識別情報を通信部に受信させるステップにより構成される。認証ステップは、例えば、マイクロコンピュータが、識別情報を用いて認証処理を行うステップにより構成される。解錠制御ステップは、例えば、マイクロコンピュータが、給油口を解錠させるステップにより構成される。
【００２８】
本発明の第２の側面の解錠装置は、ユーザによる給油口の解錠動作を検知する検知手段と、ユーザの指示に応じて携帯機から無線通信によって送信されてくる前記給油口の解錠の指示と前記携帯機の識別情報を受信する受信手段と、前記受信手段により受信された前記識別情報を用いて認証処理を行う認証手段と、前記認証手段により前記携帯機が認証され、かつ、前記受信手段により前記指示が受信されてから所定の時間内に前記解錠動作が検知された場合、前記給油口を解錠する解錠手段とを備える。
【００２９】
本発明の第２の側面の解錠装置においては、ユーザによる給油口の解錠動作が検知され、ユーザの指示に応じて携帯機から無線通信によって送信されてくる給油口の解錠の指示と携帯機の識別情報が受信され、その識別情報を用いて認証処理が行われ、携帯機が認証され、かつ、指示が受信されてから所定の時間内に解錠動作が検知された場合、給油口が解錠される。
【００３０】
従って、携帯機の消費電力の増加を抑制しつつ、給油口の不当な解錠を防止することができる。その結果、燃料の盗難、さらには、給油口が設けられた車両の盗難を防止することができる。
【００３１】
この検知手段は、例えば、マイクロスイッチ、接触センサ、静電容量センサや電波センサなどの非接触センサにより構成される。受信手段は、例えば、携帯機と無線通信を行う通信部により構成され、認証手段は、例えば、マイクロコンピュータにより構成される。解錠手段は、例えば、給油口の蓋の解錠および施錠を行うロックシステムにより構成される。
【００３２】
本発明の第２の側面の解錠方法は、ユーザによる給油口の解錠動作を検知する検知手段と、携帯機と無線通信を行う通信手段とを備える解錠装置の解錠方法において、ユーザの指示に応じて携帯機から無線通信によって送信されてくる前記給油口の解錠の指示と前記携帯機の識別情報を前記通信手段に受信させる受信制御ステップと、前記通信手段により受信された前記識別情報を用いて認証処理を行う認証ステップと、前記認証ステップの処理により前記携帯機が認証され、かつ、前記通信手段により前記指示が受信されてから所定の時間内に前記解錠動作が検知された場合、前記給油口を解錠させる解錠制御ステップとを含む。
【００３３】
本発明の第２の側面の解錠方法においては、ユーザの指示に応じて携帯機から無線通信によって送信されてくる給油口の解錠の指示と携帯機の識別情報が、携帯機と無線通信を行う通信手段により受信され、通信手段により受信された識別情報を用いて認証処理が行われ、携帯機が認証され、かつ、通信手段により指示が受信されてから所定の時間内に解錠動作が検知された場合、給油口が解錠される。
【００３４】
従って、携帯機の消費電力の増加を抑制しつつ、給油口の不当な解錠を防止することができる。その結果、燃料の盗難、さらには、給油口が設けられた車両の盗難を防止することができる。
【００３５】
この受信制御ステップは、例えば、マイクロコンピュータが、通信手段に給油口の解錠の指示と携帯機の識別情報を無線通信によって受信させるステップにより構成され、認証ステップは、例えば、マイクロコンピュータが、識別情報を用いて認証処理を行うステップにより構成される。解錠制御ステップは、例えば、マイクロコンピュータが、給油口を解錠させるステップにより構成される。
【００３６】
本発明の第２の側面のプログラムにおいては、ユーザによる給油口の解錠動作を検知する検知手段と、携帯機と無線通信を行う通信手段とを備える解錠装置を制御するコンピュータに実行させるプログラムであって、ユーザの指示に応じて携帯機から無線通信によって送信されてくる前記給油口の解錠の指示と前記携帯機の識別情報を前記通信手段に受信させる受信制御ステップと、前記通信手段により受信された前記識別情報を用いて認証処理を行う認証ステップと、前記認証ステップの処理により前記携帯機が認証され、かつ、前記通信手段により前記指示が受信されてから所定の時間内に前記解錠動作が検知された場合、前記給油口を解錠させる解錠制御ステップとをコンピュータに実行させる。
【００３７】
本発明の第２の側面のプログラムにおいては、ユーザの指示に応じて携帯機から無線通信によって送信されてくる給油口の解錠の指示と携帯機の識別情報が、携帯機と無線通信を行う通信手段により受信され、通信手段により受信された識別情報を用いて認証処理が行われ、携帯機が認証され、かつ、通信手段により指示が受信されてから所定の時間内に解錠動作が検知された場合、給油口が解錠される。
【００３８】
従って、携帯機の消費電力の増加を抑制しつつ、給油口の不当な解錠を防止することができる。その結果、燃料の盗難、さらには、給油口が設けられた車両の盗難を防止することができる。
【００３９】
この受信制御ステップは、例えば、マイクロコンピュータが、通信手段に給油口の解錠の指示と携帯機の識別情報を無線通信によって受信させるステップにより構成され、認証ステップは、例えば、マイクロコンピュータが、識別情報を用いて認証処理を行うステップにより構成される。解錠制御ステップは、例えば、マイクロコンピュータが、給油口を解錠させるステップにより構成される。
【発明の効果】
【００４０】
本発明によれば、携帯機の消費電力の増加を抑制しつつ、給油口の不当な解錠を防止することができる。
【発明を実施するための最良の形態】
【００４１】
＜１．第１の実施の形態＞
図１は、本発明を適用した解錠システムの第１の実施の形態の構成例を示すブロック図である。
【００４２】
図１の解錠システム１０は、自動車１１と、自動車１１に対応する正当な携帯機１２により構成され、携帯機１２を所持するユーザによる自動車１１の給油口の蓋に対する解錠動作に応じて給油口の蓋を解錠する。なお、図１においては、自動車１１を主に制御するための構成のみが表示されており、例えば、駆動系などについての図示は省略されている。
【００４３】
図１において、自動車１１は、制御部２１、ロックシステム２２、レバー操作検知部２３、蓋操作検知部２４、出力部２５、記憶部２６、および通信部２７−１乃至２７−４が、バス２８を介して接続されることにより構成される。
【００４４】
自動車１１の制御部２１は、例えば、CPU（Central Processing Unit）、ROM（Read Only Memory）、およびRAM（Random Access Memory）からなるECU（Electronic Control Unit）により構成される。制御部２１のCPUは、ROMに記憶されたプログラムをRAMに展開して実行することにより、自動車１１の全体の動作を制御する。
【００４５】
例えば、制御部２１は、レバー操作検知部２３または蓋操作検知部２４から供給される検知信号に応じて、通信部２７−１乃至２７−４を制御し、識別情報の送信を要求するリクエスト信号を無線通信によって送信する。また、制御部２１は、そのリクエスト信号に応じて携帯機から無線通信によって送信されてくるアンサ信号が表す識別情報と、記憶部２６に記憶されている識別情報２６Ａを比較することにより認証処理を行う。さらに、制御部２１は、認証処理の結果に基づいて、ロックシステム２２を制御する。
【００４６】
ロックシステム２２は、制御部２１により制御され、自動車１１の給油口の蓋の解錠や施錠を行う。レバー操作検知部２３は、給油口の蓋の解錠を指示するために自動車１１の車内に設けられた給油口レバーに対するユーザの操作（例えば、給油口レバーを引き上げる操作）を検知し、検知信号を制御部２１に供給する。
【００４７】
蓋操作検知部２４は、自動車１１の給油口の蓋に対するユーザの操作を検知し、検知信号を制御部２１に供給する。例えば、蓋操作検知部２４が、自動車１１の給油口の蓋に設けられたマイクロスイッチにより構成される場合、蓋操作検知部２４は、給油口の蓋が押されたことを検知し、検知信号を制御部２１に供給する。また、蓋操作検知部２４が、自動車１１の給油口の蓋に設けられた接触センサや、静電容量センサ、電波センサなどの非接触センサにより構成される場合、蓋操作検知部２４は、給油口の蓋に手などが接触したり、近づいたりしたことを検知し、検知信号を制御部２１に供給する。
【００４８】
出力部２５は、例えば、クラクション、ハザードランプなどにより構成される。出力部２５は、例えば、制御部２１の制御により、警告を表す音や光を警告情報として出力する。
【００４９】
記憶部２６は、自動車１１に対応する正当な携帯機１２の識別情報２６Ａなどを記憶する。通信部２７−１乃至２７−４は、自動車１１の車内または車外に配置され、無線通信を行う。具体的には、通信部２７−１乃至２７−４は、LF（Low Frequency）を用いてリクエスト信号を送信し、そのリクエスト信号に対応してUHF（Ultra High Frequency）を用いて送信されてくるアンサ信号を受信する。通信部２７−１乃至２７−４の配置については後述する。
【００５０】
また、図１において、携帯機１２は、制御部３１、メモリ３２、および通信部３３が、バス３４を介して接続されることにより構成される。
【００５１】
携帯機１２の制御部３１は、例えば、CPU、ROM、および、RAMからなるマイクロコンピュータにより構成され、CPUがROMに記憶されたプログラムをRAMに展開して実行することにより、携帯機１２の全体の動作を制御する。例えば、制御部３１は、無線通信によって送信されてくる識別情報の送信を要求するリクエスト信号に対応して通信部３３を制御し、予めメモリ３２に記憶されている携帯機１２の識別情報３２Ａを送信する。
【００５２】
メモリ３２は、携帯機１２の識別情報３２Ａを記憶する。なお、この識別情報３２Ａは、自動車１１の記憶部２６に記憶されている識別情報２６Ａと同一である。通信部３３は無線通信を行う。具体的には、通信部３３は、LFを用いてリクエスト信号を受信し、そのリクエスト信号に対応してUHFを用いてアンサ信号を送信する。
【００５３】
図２は、図１の制御部２１による自動車１１の給油口の蓋の解錠を制御する機能の構成例を示している。
【００５４】
図２において、制御部２１は、送信制御部５１、識別情報抽出部５２、認証部５３、解錠制御部５４、および警告部５５により構成される。
【００５５】
送信制御部５１は、通信部２７−１乃至２７−４における送信を制御する。例えば、送信制御部５１は、レバー操作検知部２３または蓋操作検知部２４から供給される検知信号に応じて、通信部２７−１乃至２７−４に識別情報の送信を要求するリクエスト信号を送信させる。
【００５６】
識別情報抽出部５２は、通信部２７−１乃至２７−４により、通信部２７−１乃至２７−４の通信可能範囲に存在する携帯機から受信されたアンサ信号から、識別情報を抽出して認証部５３に供給する。
【００５７】
認証部５３は、記憶部２６から識別情報２６Ａを読み出し、その識別情報２６Ａと識別情報抽出部５２から供給される識別情報を比較する認証処理を行う。認証部５３は、認証処理の結果を解錠制御部５４に供給する。
【００５８】
解錠制御部５４は、認証部５３から供給される認証処理の結果に基づいて、ロックシステム２２を制御することにより、自動車１１の給油口の蓋の解錠を制御する。
【００５９】
警告部５５は、レバー操作検知部２３または蓋操作検知部２４から供給される検知信号の連続期間に基づいて出力部２５を制御し、警告情報を出力させる。
【００６０】
次に、図３を参照して、図１の通信部２７−１乃至２７−４の配置について説明する。
【００６１】
なお、図３は、自動車１１を上から見た断面の概略を示している。また、図３において、図中上側が自動車１１の前側であり、図中下側は自動車１１の後側である。
【００６２】
図３に示すように、通信部２７−１乃至２７−４のうちの、２つの通信部（図３の例では通信部２７−１，２７−２）は、自動車１１の車内１１Ａに配置され、他の２つの通信部(図３の例では通信部２７−３，２７−４)は、自動車１１の車外の側面部１１Ｂに配置される。
【００６３】
図３の例では、通信部２７−１は、自動車１１の車内１１Ａの前方中央に配置され、通信部２７−２は、自動車１１の車内１１Ａの後方中央に配置されているが、通信部２７−１，２７−２は、いずれかの通信可能範囲に自動車１１の車内１１Ａの任意の位置が含まれれば、どのような位置に配置されてもよい。
【００６４】
このように、通信部２７−１，２７−２は、いずれかの通信可能範囲に自動車１１の車内１１Ａの任意の位置が含まれるように配置されるので、通信部２７−１，２７−２の少なくともいずれかが、車内１１Ａに存在する携帯機１２と無線通信を行うことができる。図３に示すように、給油口レバー６１は車内１１Ａに配置されているため、ユーザが給油口レバー６１を操作する場合、ユーザは車内１１Ａに存在する。従って、このような場合、携帯機１２は車内１１Ａに置かれており、通信部２７−１，２７−２の少なくともいずれかと無線通信を行うことができる。
【００６５】
また、図３の例では、自動車１１の側面部１１Ｂの左側には給油口６２が配置され、その給油口６２の自動車１１の側面側にはヒンジ型の蓋６２Ａが設けられている。そして、通信部２７−３は、給油口６２の近傍の範囲を通信可能範囲とするように左側中央に配置され、通信部２７−４は、自動車１１の側面部１１Ｂの右側中央に配置されているが、通信部２７−３，２７−４は、少なくともいずれかの通信可能範囲に、給油口６２の近傍が含まれれば、どのような位置に配置されてもよい。
【００６６】
このように、通信部２７−３，２７−４は、少なくともいずれかの通信可能範囲に給油口６２の近傍が含まれるように配置されるので、通信部２７−３，２７−４の少なくともいずれかが、給油口６２の近傍に存在する携帯機１２と無線通信を行うことができる。携帯機１２を保持しているユーザが給油口６２の蓋６２Ａに対して動作を行うことにより蓋６２Ａを解錠する場合、ユーザは給油口６２の近傍に存在する。従って、このような場合、携帯機１２はユーザに携帯されて給油口６２の近傍に存在し、通信部２７−３，２７−４の少なくともいずれかと無線通信を行うことができる。
【００６７】
但し、通信可能範囲が広すぎると便利な反面、携帯機１２を保持したユーザが給油口６２の近傍以外にいる場合であっても、ユーザの気づかないうちに給油口６２の蓋６２Ａに対して動作を行う別の者によって蓋６２Ａが解錠されてしまう場合があるという短所がある。従って、通信部２７−３の通信可能範囲が給油口６２近傍のみとなるように、通信部２７−３を給油口６２またはその近傍に設けるようにし、通信部２７−３で受信された識別情報のみを用いて蓋６２Ａを解錠するようにしてもよい。この場合、携帯機１２を保持したユーザが給油口６２近傍にいなければ蓋６２Ａは解錠されず、ユーザの意図しない、または、気づかない蓋６２Ａの解錠を防止することができる。
【００６８】
次に、図４のフローチャートを参照して、図２の制御部２１による解錠処理について説明する。
【００６９】
ステップＳ１１において、送信制御部５１は、解錠動作が検知されたかどうかを判定する。レバー操作検知部２３または蓋操作検知部２４から検知信号が供給されていない場合、ステップＳ１１において、送信制御部５１は解錠動作が検知されていないと判定し、検知信号が供給されるまで待機する。
【００７０】
レバー操作検知部２３または蓋操作検知部２４から検知信号が供給された場合、ステップＳ１１において、送信制御部５１は解錠動作が検知されたと判定し、処理はステップＳ１２に進む。
【００７１】
ステップＳ１２において、送信制御部５１は、通信部２７−１乃至２７−４を制御し、識別情報の送信を要求するリクエスト信号を無線通信によって送信する。これにより、通信部２７−１乃至２７−４の通信可能範囲に存在する携帯機にリクエスト信号が送信される。このリクエスト信号を受信した携帯機は、携帯機のメモリに記憶されている識別情報を表すアンサ信号を無線通信によって送信する。
【００７２】
ステップＳ１３において、識別情報抽出部５２は、所定の通信部で識別情報が受信されたかどうかを判定する。具体的には、レバー操作検知部２３により解錠動作が検知されている場合、識別情報抽出部５２は、通信部２７−１または２７−２により識別情報を表すアンサ信号が受信されると、ステップＳ１３において、所定の通信部で識別情報が受信されたと判定し、ステップＳ１４において認証部５３により認証処理が行われる。即ち、レバー操作検知部２３により解錠動作が検知される場合、正当な携帯機１２は車内１１Ａに存在するはずであるので、車内１１Ａを通信可能範囲とする通信部２７−１または２７−２により識別情報が表すアンサ信号が受信されたとき、認証処理が行われる。
【００７３】
また、蓋操作検知部２４により解錠動作が検知されている場合、識別情報抽出部５２は、通信部２７−３により識別情報を表すアンサ信号が受信されると、ステップＳ１３において、所定の通信部で識別情報が受信されたと判定し、ステップＳ１４において認証処理が行われる。即ち、蓋操作検知部２４により解錠動作が検知される場合、正当な携帯機１２は給油口６２の近傍に存在するはずであるので、給油口６２の近傍を通信可能範囲とする通信部２７−３により識別情報が表すアンサ信号が受信されたとき、認証処理が行われる。
【００７４】
ステップＳ１４の処理後、ステップＳ１５において、解錠制御部５４は、認証部５３から供給されるステップＳ１４の認証処理の結果に基づいて、識別情報を送信してきた携帯機が正当な携帯機１２として認証されたかどうかを判定する。ステップＳ１５で認証されたと判定された場合、ステップＳ１６において、解錠制御部５４は、ロックシステム２２を制御し、自動車１１の給油口６２の蓋６２Ａを解錠する。そして、解錠処理を終了する。
【００７５】
一方、レバー操作検知部２３により解錠動作が検知されており、通信部２７−１または２７−２により識別情報を表すアンサ信号が受信されていない場合、または、蓋操作検知部２４により解錠動作が検知されており、通信部２７−３により識別情報を表すアンサ信号が受信されていない場合、ステップＳ１３において、識別情報抽出部５２は、所定の通信部で識別情報が受信されていないと判定し、処理はステップＳ１７に進む。また、ステップＳ１５において、識別情報を送信してきた携帯機が正当な携帯機１２として認証されていないと判定された場合、処理はステップＳ１７に進む。
【００７６】
即ち、正当な携帯機１２から識別情報が送信されてこなかった場合、給油口６２の蓋６２Ａは解錠されず、ステップＳ１７に進む。
【００７７】
ステップＳ１７において、警告部５５は、ステップＳ１１で検知された解錠動作の連続期間が所定の期間以上であるかどうかを判定する。ステップＳ１７で解錠動作の連続期間が所定の期間以上であると判定された場合、ステップＳ１８において、警告部５５は、出力部２５を制御し、警告情報を出力する。即ち、給油口６２の蓋６２Ａをこじ開けるには、ある程度の時間を要するため、正当な携帯機１２から識別情報が送信されずに、所定の時間以上連続して解錠動作が行われている場合には、不当な人間が給油口６２の蓋６２Ａを解錠しようとしていると判断して、警告情報を出力する。そして、解錠処理は終了する。
【００７８】
一方、ステップＳ１７で解錠動作の連続期間が所定の期間以上ではないと判定された場合、解錠処理は終了する。
【００７９】
なお、図４では、通信部２７−１乃至２７−４の全てから識別情報を要求するリクエスト信号が送信されるものとしたが、検知信号に対応する通信部から送信されるようにしてもよい。この場合、送信制御部５１は、レバー操作検知部２３からの検知信号に応じて通信部２７−１，２７−２からリクエスト信号を送信し、蓋操作検知部２４からの検知信号に応じて通信部２７−３からリクエスト信号を送信する。
【００８０】
さらに、次のようにしてもよい。送信制御部５１は、蓋操作検知部２４からの検知信号に応じて通信部２７−３からリクエスト信号を送信する。この結果、正当な携帯機１２から識別情報が送信されてこなかった場合には、送信制御部５１は、通信部２７−１または２７−２のいずれか一方、もしくは、通信部２７−１および２７−２の両方からリクエスト信号を送信する。このようにすることにより、例えば、携帯機１２を保持している運転者が運転席に座っている状態で、ガソリンスタンドの店員が蓋６２Ａを操作した場合に、運転者は何の操作も行わずに給油口６２の蓋６２Ａを解錠させることができる。その結果、運転者の利便性が向上する。
【００８１】
以上のように、解錠システム１０では、自動車１１が、識別情報を送信してきた携帯機を正当な携帯機１２として認証した場合に給油口６２の蓋６２Ａが解錠されるように、蓋６２Ａの解錠を制御するので、携帯機１２を所持する自動車１１の正当なユーザ以外の人間が蓋６２Ａを解錠することを防止することができる。その結果、燃料の盗難を防止することができる。さらに、自動車１１の窃盗犯は窃盗後に給油することができず、また、窃盗後にガソリンスタンド等で蓋６２Ａを破壊して給油しようとすると、周囲に自動車１１が盗難車であることを知らせることになるため、自動車１１自体の盗難を防止することもできる。
【００８２】
また、解錠システム１０では、自動車１１が解錠動作を検知した場合にリクエスト信号を送信し、携帯機１２がそのリクエスト信号に対応して識別情報を表すアンサ信号を送信するので、携帯機１２は識別情報を表すアンサ信号を絶えず発信する必要がない。従って、自動車１１が認証処理を行うことによる携帯機１２の消費電力の増加を抑制することができる。
【００８３】
さらに、解錠システム１０では、自動車１１が、給油口レバー６１に対する操作だけでなく、給油口６２の蓋６２Ａに対する動作も検知するので、例えば、セルフ式のガソリンスタンドで、携帯機１２を保持しているユーザが、給油口レバー６１に対する操作を忘れて給油口６２の前に立った場合であっても、再度車内１１Ａに戻って給油口レバー６１に対する操作を行うことなく、蓋６２Ａに対して動作することで、蓋６２Ａを解錠することができる。その結果、操作の利便性が向上する。
【００８４】
＜２．第２の実施の形態＞
図５は、本発明を適用した解錠システムの第２の実施の形態の構成例を示すブロック図である。
【００８５】
図５に示す構成のうち、図１の構成と同じ構成には同じ符号を付してある。重複する説明については適宜省略する。
【００８６】
図５の解錠システム１００の自動車１０１の構成は、主に、制御部２１の代わりに制御部１２１が設けられ、通信部２７−１乃至２７−４の代わりに通信部１２２が設けられている点が図１の構成と異なる。また、図５の携帯機１０２の構成は、主に、制御部３１の代わりに制御部１３１が設けられ、通信部３３の代わりに通信部１３２が設けられている点と、入力部１３３が新たに設けられている点が図１の構成と異なる。
【００８７】
詳細には、図５の自動車１０１の制御部１２１は、図１の制御部２１と同様に、例えば、ECUにより構成される。制御部１２１のCPUは、ROMに記憶されたプログラムをRAMに展開して実行することにより、自動車１０１の全体の動作を制御する。
【００８８】
例えば、制御部１２１は、無線通信によって給油口の蓋の解錠の指示とともに送信されてくる識別情報と、記憶部２６に記憶されている識別情報２６Ａを比較することにより認証処理を行う。また、制御部１２１は、認証処理の結果と、レバー操作検知部２３または蓋操作検知部２４からの検知信号の有無とに基づいて、ロックシステム２２を制御する。
【００８９】
通信部１２２は、自動車１０１の車内または車外に配置され、UHFを用いて無線通信を行う。通信部１２２の通信可能範囲は、LFを用いてリクエスト信号を送信する通信部２７−１乃至２７−４に比べて広く、比較的遠方に存在する携帯機１０２からUHFを用いて送信されてくる情報を受信することができる。
【００９０】
また、携帯機１０２の制御部１３１は、マイクロコンピュータにより構成され、CPUがROMに記憶されたプログラムをRAMに展開し実行することにより、携帯機１０２の全体の動作を制御する。例えば、制御部１３１は、入力部１３３からの指令に応じて通信部１３２を制御し、給油口の蓋の解錠の指示とともに、予めメモリ３２に記憶されている携帯機１０２の識別情報３２Ａを送信する。
【００９１】
通信部１３２はUHFを用いて無線通信を行う。通信部１３２の通信可能範囲は、通信部３３に比べて広く、比較的遠方に存在する自動車１０１に対して情報を送信することができる。入力部１３３は、操作ボタンなどにより構成され、ユーザからの操作を受け付け、その操作に対応する指令を制御部１３１に供給する。例えば、入力部１３３は、ユーザからの操作を受け付け、その操作に対応する指令として、給油口の蓋の解錠の指示とともに識別情報３２Ａを送信する指令を制御部１３１に供給する。
【００９２】
以上のように、図５の解錠システム１００では、自動車１０１が、比較的遠方に存在する携帯機１０２からの情報を受信することができるので、自動車１０１から離れた場所に存在するユーザが、携帯機１０２を遠隔操作することにより、給油口の蓋の解錠を指示することができる。これにより、例えば、ユーザは、ガソリンスタンドなどにおいて給油口の解錠を忘れて離れた場所に移動した場合であっても、給油口の蓋を解錠し、店員などに給油を行わせることが可能となる。
【００９３】
図６は、図５の制御部１２１による自動車１０１の給油口の蓋の解錠を制御する機能の構成例を示している。
【００９４】
図６において、制御部１２１は、認証部５３、識別情報取得部１５１、および解錠制御部１５２により構成される。なお、図６において、図２と同一のものには同一の符号を付してあり、説明は繰り返しになるので省略する。
【００９５】
識別情報取得部１５１は、通信部１２２により、通信部１２２の通信可能範囲に存在する携帯機から給油口の蓋の解錠の指示とともに受信された識別情報を取得し、認証部５３に供給する。
【００９６】
解錠制御部１５２は、認証部５３から供給される認証処理の結果と、レバー操作検知部２３または蓋操作検知部２４から供給される検知信号の有無とに基づいて、ロックシステム２２を制御することにより、自動車１０１の給油口の蓋の解錠を制御する。
【００９７】
次に、図７のフローチャートを参照して、図６の制御部１２１による解錠処理について説明する。
【００９８】
ステップＳ３１において、識別情報取得部１５１は、給油口の蓋の解錠が指示されたかどうかを判定する。通信部１２２により通信部１２２の通信可能範囲にある携帯機から給油口の蓋の解錠の指示が受信されていない場合、ステップＳ３１において、識別情報取得部１５１は、給油口の蓋の解錠が指示されていないと判定し、通信部１２２により給油口の蓋の解錠の指示が受信されるまで待機する。
【００９９】
通信部１２２により給油口の蓋の解錠の指示が受信された場合、ステップＳ３１において、識別情報取得部１５１は、給油口の蓋の解錠が指示されたと判定し、その指示とともに受信された識別情報を認証部５３に供給する。そして、ステップＳ３２において、認証部５３は、識別情報取得部１５１から供給される識別情報を用いて認証処理を行い、その結果を解錠制御部１５２に供給する。
【０１００】
ステップＳ３３において、解錠制御部１５２は、認証部５３から供給される認証処理の結果に基づいて、識別情報を送信してきた携帯機が正当な携帯機１０２として認証されたかどうかを判定する。ステップＳ３３で認証されたと判定された場合、ステップＳ３４において、解錠制御部１５２は、解錠動作が検知されたかどうかを判定する。
【０１０１】
レバー操作検知部２３または蓋操作検知部２４から検知信号が供給されていない場合、ステップＳ３４において、解錠制御部１５２は解錠動作が検知されていないと判定し、処理はステップＳ３５に進む。
【０１０２】
ステップＳ３５において、解錠制御部１５２は、通信部１２２により給油口の蓋の解錠の指示が受信されてから所定の時間が経過したかどうかを判定する。ステップＳ３５において、給油口の蓋の解錠の指示が受信されてから所定の時間が経過していないと判定された場合、処理はステップＳ３４に戻り、レバー操作検知部２３または蓋操作検知部２４から検知信号が供給されるか、または、給油口の蓋の解錠の指示が受信されてから所定の時間が経過するまで、ステップＳ３４およびＳ３５の処理が繰り返される。
【０１０３】
レバー操作検知部２３または蓋操作検知部２４から検知信号が供給された場合、ステップＳ３４において、解錠制御部１５２は解錠動作が検知されたと判定し、処理はステップＳ３６に進む。ステップＳ３６において、解錠制御部５４は、ロックシステム２２を制御し、自動車１０１の給油口の蓋を解錠する。そして、解錠処理を終了する。
【０１０４】
一方、ステップＳ３５で所定の時間が経過したと判定された場合、給油口の蓋の解錠が行われず、解錠処理は終了する。また、ステップＳ３３で識別情報を送信してきた携帯機が正当な携帯機１０２として認証されなかった場合も、給油口の蓋の解錠は行われず、解錠処理は終了する。
【０１０５】
以上のように、解錠システム１００では、給油口の蓋の解錠の指示を送信してきた携帯機が自動車１０１に対応する正当な携帯機１０２である場合に、所定の時間内に解錠動作が行われると、給油口の蓋が解錠されるので、携帯機１０２を所持する自動車１０１の正当なユーザが許可する人間以外の人間が蓋６２Ａを解錠することを防止することができる。その結果、燃料の盗難を防止することができる。さらに、自動車１０１の窃盗犯は窃盗後に給油することができず、また、窃盗後にガソリンスタンド等で蓋６２Ａを破壊して給油しようとすると、周囲に自動車１０１が盗難車であることを知らせることになるため、自動車１０１自体の盗難を防止することもできる。
【０１０６】
また、解錠システム１００では、携帯機１０２が、ユーザの入力部１３３に対する操作に応じて識別情報を送信するので、携帯機１０２は識別情報を絶えず発信する必要がない。従って、自動車１０１が認証処理を行うことによる携帯機１０２の消費電力の増加を抑制することができる。
【０１０７】
なお、給油口の蓋の施錠および解錠は、例えば、給油口の蓋の裏面または自動車１１（１０１）の車両内に設けられた電磁ロック方式の機構などを用いて行うことができる。この場合、給油口の蓋を短時間で簡単にこじ開けることができないため、防犯効果を高めることができる。
【０１０８】
また、本発明は、二輪車、四輪車、バギー、雪上車等の給油口が設けられた車両に適用することができる。
【０１０９】
さらに、本発明の実施の形態は、上述した実施の形態に限定されるものではなく、本発明の要旨を逸脱しない範囲において種々の変更が可能である。例えば、本発明の実施の形態は、上述した第１の実施の形態と第２の実施の形態の両方を組み合わせた実施の形態であってもよい。
【０１１０】
上述した解錠システムは、いわゆる自動車用のパッシブエントリシステムとシステムを共用してもよい。なお、自動車用のパッシブエントリシステムとは、運転者が保持する携帯機と自動車に設けられた制御部とが送受信を行うことにより携帯機が認証された場合、自動車のドアを解錠あるいは施錠するシステムである。
【０１１１】
上述した解錠システムが自動車用のパッシブエントリシステムとシステムを共用する場合、例えば、パッシブエントリシステムの制御機能が付加された制御部２１や１２１が、両システムの制御部として共用される。また、例えば、通信部２７−１乃至２７−４や１２２がパッシブエントリシステム用の通信も行うことにより、通信部２７−１乃至２７−４や１２２が両システムの通信部として共用される。
【０１１２】
さらに、例えば、入力部１３３が、ドア解錠用の操作ボタンとドア施錠用の操作ボタンとしても機能することにより、入力部１３３が両システムの携帯機の入力部として共用される。この場合、入力部１３３は、例えば、操作される時間の長短に基づいて、ユーザからの操作が給油口とドアのいずれに対する操作であるかを識別する。なお、所定の順序で操作（例えば、ドア解錠用の操作の後にドア施錠用の操作が２回）された場合、給油口に対する操作であると識別し、それ以外の場合、ドアに対する操作であると識別するようにしてもよい。
【０１１３】
また、制御部２１，３１，１２１、１３１が実行するプログラムを記録する記録媒体は、内蔵するROMで構成されてもよいし、ユーザにプログラムを提供するために配布される、プログラムが記録されている磁気ディスク（フレキシブルディスクを含む）、光ディスク（CD-ROM(Compact Disc-Read Only Memory)，DVD（Digital Versatile Disk）を含む）、光磁気ディスク（MD（Mini-Disc）を含む）、もしくは半導体メモリなどよりなるパッケージメディアにより構成されてもよい。制御部２１，３１，１２１、１３１が実行するプログラムを記録する記録媒体がパッケージメディアで構成される場合には、そのプログラムが、記憶部２６やメモリ３２にインストールされ、実行される。
【０１１４】
なお、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【図面の簡単な説明】
【０１１５】
【図１】本発明を適用した解錠システムの第１の実施の形態の構成例を示すブロック図である。
【図２】図１の制御部の機能的構成例を示すブロック図である。
【図３】図１の通信部の配置例を示す図である。
【図４】図２の制御部による解錠処理について説明するフローチャートである。
【図５】本発明を適用した解錠システムの第２の実施の形態の構成例を示すブロック図である。
【図６】図５の制御部の機能的構成例を示すブロック図である。
【図７】図６の制御部による解錠処理について説明するフローチャートである。
【符号の説明】
【０１１６】
１１  自動車
２１  制御部
２２  ロックシステム
２３  レバー操作検知部
２４  蓋操作検知部
２７−１乃至２７−４  通信部
５１  送信制御部
５３  認証部
５４  解錠制御部
５５  警告部
１０１  自動車
１２２  通信部
１５２  解錠制御部
【図１】
2010127030.tif 000003
【図２】
2010127030.tif 000004
【図３】
2010127030.tif 000005
【図４】
2010127030.tif 000006
【図５】
2010127030.tif 000007
【図６】
2010127030.tif 000008
【図７】
2010127030.tif 000009